(57)【要約】【課題】つば付き容器を確固に保持すると共に、側板部の下端をつば付き容器の側面に圧接させて側板部が開きにくいつば付き容器用ホルダーを提供する。【解決手段】天板部１１の両側に折り線１２、１２を介して側板部１３、１３が設けられ、つば付き容器１の保持部には、爪部用爪部用切込み１４、１４が形成され、爪部用切込み１４、１４の両側より側板部１３、１３に伸びて弾性用切込み１５、１５が形成され、爪部用切込み１４、１４の両側より内側に傾斜したつば部外周圧接用切込み１６、１６が形成され、つば部外周圧接用切込み１６、１６の両側より折り線１２、１２に伸びて切込み１７、１７が形成されている。【選択図】      図１
2011235960.tif 000002
【特許請求の範囲】
【請求項１】
天板部の両側に折り線を介して側板部が設けられ、つば付き容器を保持する保持部には、相対向して爪部となる爪部用切込みが形成され、この爪部用切込みの両側より側板部に伸びて弾性用切込みが形成されたつば付き容器用ホルダーにおいて、前記爪部用切込みの両側よりそれぞれ内側に突出してつば部外周圧接用切込みが形成され、このつば部外周圧接用切込みの両側より前記折り線に伸びて切込みが形成され、前記爪部用切込みをつば部の下面位置させたときに、前記つば部外周圧接用切り込みがつば部の外周に圧接することを特徴とするつば付き容器用ホルダー。
【請求項２】
天板部の両側に折り線を介して側板部が設けられたつば付き容器用ホルダーにおいて、つば付き容器を保持する保持部には、相対向して中央部で天板部内につば部圧接用切込みが形成され、このつば部圧接用切込みの内側の両側より側板部に伸びて弾性用切込みが形成され、この弾性用切込みより折り線側に直線状に伸びて爪部用切込みが形成され、この爪部用切込みと前記折り線は切込みで連設されており、前記爪部用切込みをつば部の下面位置させたときに、前記つば部外周圧接用切り込みがつば部の外周に圧接することを特徴とするつば付き容器用ホルダー。
【請求項３】
天板部の両側に折り線を介して側板部が設けられ、天板部は２列に複数個のつば付き容器を並べた場合につば付き容器のつば部が外側に少しはみ出る大きさとなっており、つば付き容器を保持する折り線側に保持部が形成され、この両側の爪部用切込みに対向して天板部の左右に差込み用切込みが前後方向に並んで形成された容器用ホルダーにおいて、前記保持部は、相対向して折り線より天板部内に突出して爪部となる爪部用切込みが形成され、この爪部用切込みの両側より側板部に伸びて弾性用切込みが形成され、前記爪部用切込みの両側よりそれぞれ内側に突出してつば部外周圧接用切込みが形成され、前記爪部用切込みをつば部の下面位置させたときに、前記つば部外周圧接用切り込みがつば部の外周に圧接することを特徴とするつば付き容器用ホルダー。
【請求項４】
天板部の両側に折り線を介して側板部が設けられ、天板部は２列に複数個のつば付き容器を並べた場合につば付き容器のつば部が外側に少しはみ出る大きさとなっており、つば付き容器を保持する折り線側に保持部が形成され、この両側の爪部用切込みに対向して天板部の左右に差込み用切込みが前後方向に並んで形成された容器用ホルダーにおいて、前記保持部は、相対向して中央部で天板部内につば部圧接用切込みが形成され、このつば部圧接用切込みの内側の両側より側板部に伸びて弾性用切込みが形成され、この弾性用切込みより折り線側に直線状に伸びて爪部用切込みが形成され、前記爪部用切込みをつば部の下面位置させたときに、前記つば部外周圧接用切り込みがつば部の外周に圧接することを特徴とするのつば付き容器用ホルダー。
【請求項５】
天板部の両側に折り線を介して側板部が設けられたつば付き容器用ホルダーにおいて、つば付き容器を保持する保持部には、相対向して中央部で天板部内に爪部となる爪部用切込みが形成され、この爪部用切込みの両側に連接して外側でつば付き容器のつば部内に切込みが形成され、この切込みの端部より側板部に伸びて第１の弾性用切込みが形成され、前記切込みの端部及び前記第１の弾性用切込みより連接して前記折り線側に直線状に伸びてつば部外周圧接用切込みが形成され、このつば部外周圧接用切込みの端部より前記側板部に伸びて第２の弾性用切込みが形成されており、前記爪部用切込みをつば部の下面位置させたときに、前記つば部外周圧接用切り込みがつば部の外周に圧接することを特徴とするつば付き容器用ホルダー。
【発明の詳細な説明】
【技術分野】
【０００１】
本発明は、納豆、ヨーグルト、プリン等の物品を充填したつば付き容器用ホルダーに関する。
【背景技術】
【０００２】
従来のつば付き容器用ホルダーは、図１３に示す構造となっている。容器用ホルダー１１０は、長方形状のシート状台紙よりなり、天板部１１１の長手方向の両側に折り線１１２、１１２を介して側板部１１３、１１３が設けられている。折り線１１２、１１２の間隔Ｗ１はつば付き容器１のつば部２の真下の外周側径Ｄ１と略等しいに形成されている。つば付き容器１を保持する保持部には、相対向して折り線１１２、１１２より天板部１１１内に突出して爪部となる切込み１１４、１１４が形成され、この切込み１１４、１１４の両側より側板部１１３、１１３に伸びて弾性用切込み１１５、１１５が形成され、更に弾性用切込み１１５、１１５より折り線１１２、１１２に沿って両側に切込み１１６、１１６が形成されている。
【０００３】
そこで、つば付き容器１上に相対向する切込み１１４、１１４間が位置するように容器用ホルダー１１０を載せ、側板部１１３、１１３を折り線１１２、１１２に沿って下方向に折り曲げる。これにより、つば付き容器１のつば部２が対向する切込み１１４、１１４, １１６、１１６にそれぞれ挿入され、つば付き容器１は容器ホルダー１１０に保持される。この場合、容器ホルダー１１０の折り線１１２、１１２とつば付き容器１のつば部２の下面に当接する切込み１１６、１１６の折り曲げ側部側の縁とは、つば付き容器１のつば部２の直下の外周側に略同一に位置するので、折り曲げた側板部１１３、１１３は外に広がらない。また切込み１１４は折り線１１２、１１２部分より若干内側に突出しているので、切込み１１４がつば付き容器１のつば部２の下面に強く当接し、その反力により一旦内側に折り曲げられた側板部１１３、１１３が外側に広がらずにつば部２を確固に保持する。なお、この種のつば付き容器ホルダーとして、特許文献１〜４が挙げられる。
【０００４】
【特許文献１】実公昭５６−２８１２４号（実開昭５２−１２５５８１号）公報
【特許文献２】実公昭５９−６３２４１号（実開昭５７−９５３５６号）公報
【特許文献３】実用新案登録第２５４００９０号（実開平５−３５７４１号）公報
【特許文献４】特開平７−２９１３４６号公報
【発明の開示】
【発明が解決しようとする課題】
【０００５】
特許文献１は、切込み１１４が折り線１１２より内側に位置し、また切込み１１４が弾性力を有するように切込み１１４の両側に弾性用切込み１１５、１１５を設けているので、特許文献２〜４よりつば付き容器１を確固に保持し、また側板部１１３、１１３の外側への広がりが防止される。特許文献１では、切込み１１４がつば部２の下面に強く当接して反力が生じるが、この構造による反力では側板部１１３、１１３が外側に広がらないようにすることはできても、側板部１１３、１１３を特許文献１に図示されているようにつば付き容器１に沿うように内側に折り曲げる反力は得られなく、特許文献２〜４に示すように略垂直に折り曲げられる。
【０００６】
本発明の課題は、つば付き容器を確固に保持すると共に、側板部の下端をつば付き容器の側面に圧接させて側板部が開きにくいつば付き容器用ホルダーを提供する。
【課題を解決するための手段】
【０００７】
上記課題を解決するための本発明の請求項１は、天板部の両側に折り線を介して側板部が設けられ、つば付き容器を保持する保持部には、相対向して爪部となる爪部用切込みが形成され、この爪部用切込みの両側より側板部に伸びて弾性用切込みが形成されたつば付き容器用ホルダーにおいて、前記爪部用切込みの両側よりそれぞれ内側に突出してつば部外周圧接用切込みが形成され、このつば部外周圧接用切込みの両側より前記折り線に伸びて切込みが形成され、前記爪部用切込みをつば部の下面位置させたときに、前記つば部外周圧接用切り込みがつば部の外周に圧接することを特徴とする。
【０００８】
上記課題を解決するための本発明の請求項２は、天板部の両側に折り線を介して側板部が設けられたつば付き容器用ホルダーにおいて、つば付き容器を保持する保持部には、相対向して中央部で天板部内につば部圧接用切込みが形成され、このつば部圧接用切込みの内側の両側より側板部に伸びて弾性用切込みが形成され、この弾性用切込みより折り線側に直線状に伸びて爪部用切込みが形成され、この爪部用切込みと前記折り線は切込みで連設されており、前記爪部用切込みをつば部の下面位置させたときに、前記つば部外周圧接用切り込みがつば部の外周に圧接することを特徴とする。
【０００９】
上記課題を解決するための本発明の請求項３は、天板部の両側に折り線を介して側板部が設けられ、天板部は２列に複数個のつば付き容器を並べた場合につば付き容器のつば部が外側に少しはみ出る大きさとなっており、つば付き容器を保持する折り線側に保持部が形成され、この両側の爪部用切込みに対向して天板部の左右に差込み用切込みが前後方向に並んで形成された容器用ホルダーにおいて、前記保持部は、相対向して折り線より天板部内に突出して爪部となる爪部用切込みが形成され、この爪部用切込みの両側より側板部に伸びて弾性用切込みが形成され、前記爪部用切込みの両側よりそれぞれ内側に突出してつば部外周圧接用切込みが形成され、前記爪部用切込みをつば部の下面位置させたときに、前記つば部外周圧接用切り込みがつば部の外周に圧接することを特徴とする。
【００１０】
上記課題を解決するための本発明の請求項４は、天板部の両側に折り線を介して側板部が設けられ、天板部は２列に複数個のつば付き容器を並べた場合につば付き容器のつば部が外側に少しはみ出る大きさとなっており、つば付き容器を保持する折り線側に保持部が形成され、この両側の爪部用切込みに対向して天板部の左右に差込み用切込みが前後方向に並んで形成された容器用ホルダーにおいて、前記保持部は、相対向して中央部で天板部内につば部圧接用切込みが形成され、このつば部圧接用切込みの内側の両側より側板部に伸びて弾性用切込みが形成され、この弾性用切込みより折り線側に直線状に伸びて爪部用切込みが形成され、前記爪部用切込みをつば部の下面位置させたときに、前記つば部外周圧接用切り込みがつば部の外周に圧接することを特徴とする。
【００１１】
上記課題を解決するための本発明の請求項５は、天板部の両側に折り線を介して側板部が設けられたつば付き容器用ホルダーにおいて、つば付き容器を保持する保持部には、相対向して中央部で天板部内に爪部となる爪部用切込みが形成され、この爪部用切込みの両側に連接して外側でつば付き容器のつば部内に切込みが形成され、この切込みの端部より側板部に伸びて第１の弾性用切込みが形成され、前記切込みの端部及び前記第１の弾性用切込みより連接して前記折り線側に直線状に伸びてつば部外周圧接用切込みが形成され、このつば部外周圧接用切込みの端部より前記側板部に伸びて第２の弾性用切込みが形成されており、前記爪部用切込みをつば部の下面位置させたときに、前記つば部外周圧接用切り込みがつば部の外周に圧接することを特徴とする。
【発明の効果】
【００１２】
請求項１及び２によれば、爪部用切込みより更に内側に突出したつば部外周圧接用切込みが形成されているので、折り線を下方向に折り曲げると、つば部外周圧接用切込みの内側面がつば部の外周に圧接する。即ち、つば部外周圧接用切込み部分が外側に押され、この押圧力の反力により側板部の下端部がつば付き容器側に押し付けられる。この作用により、容器用ホルダーの側板部は従来のものより更につば付き容器を確固に内側に押えることができる。
【００１３】
請求項５によれば、つば部外周圧接用切込みの外側に切込みが形成され、この切込みの内側に爪部用切込みが形成されている。また切込みの端部及び爪部用切込みの端部に第１及び第２の弾性用切込みが形成されている。このため、折り線を下方向に折り曲げると、爪部用切込みの内側面がつば付き容器のつば部の外周に圧接する。即ち、請求項１及び２と同様に、爪部用切込み部分が外側に押され、この押圧力は大きいので、その反力により側板部の下端部がつば付き容器側に押し付けられる。この作用により、容器ホルダーの側側板部は従来のものより更につば付き容器を確固に内側に押えることができる。
【発明を実施するための最良の形態】
【００１４】
本発明のつば付き容器用ホルダーの第１の実施の形態を図１及び図２により説明する。図１に示すように、容器用ホルダー１０はシート状台紙よりなり、天板部１１の両側に折り線１２、１２を介して側板部１３、１３が設けられている。つば付き容器１を保持する保持部には、相対向して爪部となる爪部用切込み１４、１４が形成され、この爪部用切込み１４、１４の両側より側板部１３、１３に伸びて弾性用切込み１５、１５が形成されている。以上は従来技術と同じ構成となっている。
【００１５】
本実施の形態においては、折り線１２、１２の間隔Ｗ１は、つば付き容器１のつば部２の真下の外周側径Ｄ１より若干小さい間隔からつば部２の外径Ｄ２より小さい間隔の範囲に形成され、爪部用切込み１４、１４の間隔Ｗ２は、つば部２の真下の外周側径Ｄ１と略等しいか若干小さく形成されている。また爪部用切込み１４、１４の両側よりそれぞれ内側に緩やかに傾斜（突出）したつば部外周圧接用切込み１６、１６が形成され、このつば部外周圧接用切込み１６、１６の両側より更に折り線１２、１２に伸びて切込み１７、１７が形成されている。
【００１６】
そこで、つば付き容器１を容器用ホルダー１０に保持させるには、つば付き容器１上に相対向する爪部用切込み１４、１４間が位置するように容器用ホルダー１０を載せ、側板部１３、１３を折り線１２、１２に沿って下方向に折り曲げる。これにより、図２に示すように、つば付き容器１のつば部２が対向する爪部用切込み１４、１４に挿入されると共に、つば部外周圧接用切込み１６、１６の内側面がつば付き容器１のつば部２の外周に圧接し、つば付き容器１は容器用ホルダー１０に保持される。この場合、爪部用切込み１４はつば付き容器１のつば部２と略等しいか若干内側に形成されているので、爪部用切込み１４がつば付き容器１のつば部２の下面に当接する点は従来と同じである。
【００１７】
本実施の形態においては、爪部用切込み１４、１４の両側よりそれぞれ内側に傾斜（突出）したつば部外周圧接用切込み１６、１６が形成されている。このため、折り線１２、１２を下方向に折り曲げると、つば部外周圧接用切込み１６、１６の内側面がつば付き容器１のつば部２の外周に圧接する。即ち、つば部外周圧接用切込み１６、１６部分が外側に押され、この押圧力の反力により側板部１３、１３の下端部がつば付き容器１側に押し付けられる。この作用により、容器用ホルダー１０の側板部１３、１３は従来のものより更につば付き容器１を確固に内側に押えることができる。即ち、本実施の形態においては、１個のつば付き容器１を保持する容器用ホルダー１０であっても、十分につば付き容器１を保持することができる。
【００１８】
本発明のつば付き容器用ホルダーの第２の実施の形態を図３により説明する。前記第１の実施の形態は、１個のつば付き容器１を保持する容器用ホルダー１０について説明した。本実施の形態は３個のつば付き容器１を保持する容器用ホルダー２０を示す。図３より明らかなように、図１に示す容器用ホルダー１０を一体的に３個連設した構造となっている。従って、前記実施の形態と同様の効果が得られることは言うまでもない。 なお、図示しないが図１に示す容器用ホルダー１０を１列に一体的に２個又は４個以上連設した構造とすることにより、１列に２個以上のつば付き容器１を保持させることができる。
【００１９】
本発明のつば付き容器用ホルダーの第３の実施の形態を図４により説明する。本実施の形態は、４個（２列×２）のつば付き容器１を保持する容器用ホルダー３０を示す。なお、図１と同じ部分又は相当部分には、同一符号を付して説明する。天板部１１は４個のつば付き容器１を並べた場合につば部２が外側に少しはみ出る大きさとなっている。
【００２０】
容器用ホルダー３０はシート状台紙よりなり、天板部１１の両側に折り線１２、１２を介して側板部１３、１３が設けられている。つば付き容器１を保持する保持部には、相対向して爪部となる爪部用切込み１４、１４が形成され、この爪部用切込み１４、１４の両側より側板部１３、１３に伸びて弾性用切込み１５、１５が形成されている。また爪部用切込み１４、１４の両側よりそれぞれ内側に緩やかに傾斜（突出）したつば部外周圧接用切込み１６、１６が形成され、このつば部外周圧接用切込み１６、１６の両側より更に折り線１２、１２に伸びて切込み１７、１７が形成されている。
【００２１】
両側の爪部用切込み１４、１６、１６と１４、１６、１６に対向して天板部１１の左右に差込み用切込み３１、３１が前後方向に並んで形成されている。差込み用切込み３１、３１は、円弧状切込み３２、３２とその両端から対応する側板部１３に伸びる短い直線状切込み３３、３３とからなっている。円弧状切込み３２、３２の径は、つば付き容器１のつば部２の径より小さく、その両端から伸びる直線状切込み３３、３３によりつば部２が挿入可能となっている。なお、円弧状切込み３２、３２は直線状でもよい。
【００２２】
そこで、４個のつば付き容器１を容器用ホルダー３０に保持させるには、つば部２の差込み用切込み３１、３１に挟まれる部分を押圧して差込み用切込み３１、３１の所に隙間を形成させる。そして、つば付き容器１のつば部２を左及び右から隙間に差し込む。これにより、４個のつば付き容器１のつば部２が前記隙間に挿入され、つば部２の一部が天板部１１の上面に露出される。
【００２３】
次に、側板部１３、１３を折り線１２、１２に沿って下方向に折り曲げる。これにより、つば付き容器１のつば部２が対向するつば部外周圧接用切込み１６、１６に挿入されると共に、つば部外周圧接用切込み１６、１６の内側面がつば付き容器１のつば部２の外周に圧接して外側に押され、つば付き容器１は容器用ホルダー１０に保持される。この場合、爪部用切込み１４はつば付き容器１のつば部２と略等しいか若干内側に形成されているので、爪部用切込み１４がつば付き容器１のつば部２の下面に当接する。また爪部用切込み１４、１４の両側よりそれぞれ内側に傾斜 (突出）したつば部外周圧接用切込み１６、１６が形成されている。このため、折り線１２、１２を下方向に折り曲げると、つば部外周圧接用切込み１６、１６の内側面がつば付き容器１のつば部２の外周に圧接する。即ち、つば部外周圧接用つば部外周圧接用切込み１６、１６部分が外側に押され、この押圧力の反力により側板部１３、１３の下端部がつば付き容器１側に押し付けられる。この作用により、容器用ホルダー１０の側板部１３、１３は従来のものより更につば付き容器１を確固に内側に押えることができる。即ち、本実施の形態においては、４個のつば付き容器１を保持することができる。
【００２４】
本実施の形態は、 ４個 (２列×２）のつば付き容器１を保持するつば付き容器用ホルダー３０について説明したが、６個以上の偶数個 (２列×３以上）のつば付き容器１を保持させるようにすることができることはいうまでもない。
【００２５】
なお、前記各実施の形態において、 弾性用切込み１５、１５の開き角度は、爪部用切込み１４、１４に対して直角より４５度に形成した場合について図示したが、爪部用切込み１４、１４に対して直角から６０度の範囲であればよい。
【００２６】
本発明のつば付き容器用ホルダーの第４の実施の形態を図５により説明する。本実施の形態の容器ホルダー４０と第１の実施の形態の図１の容器ホルダー１０とを比較すれば明らかなように、本実施の形態の天板部４１、折り線４２、４２、側板部４３、４３、爪部用爪部用切込み４４、４４及び弾性用切込み４５、４５は、図１の天板部１１、折り線１２、１２、側板部１３、１３、爪部用切込み１４、１４及び弾性用切込み１５、１５に相当するので、その説明は省略する。
【００２７】
図５の本実施の形態のつば部外周圧接用切込み４６、４６は、図１の実施の形態のつば部外周圧接用切込み１６、１６と異なる。即ち、つば部外周圧接用切込み４６、４６は、爪部用切込み４４、４４より内側に突出して直線状に形成されている。つば部外周圧接用切込み４６、４６は、外側部が直線又は傾斜して切込み４７、４７で折り線４２、４２に伸びて形成され、内側部が爪部用切込み４４、４４に直線又は傾斜して切込み４８、４８に伸びて形成されている。
【００２８】
このように形成しても前記実施の形態と同様の効果が得られる。即ち、切り込み４４、４４がつば付き容器１のつば部２の下面に強く当接する。 また爪部用切込み４４、４４の両側よりそれぞれ内側に突出してつば部外周圧接用切込み４６、４６が形成されている。このため、折り線４２、４２を下方向に折り曲げると、つば部外周圧接用切込み４６、４６の内側面がつば付き容器１のつば部２の外周に圧接する。これにより、つば部外周圧接用切込み４６、４６部分が外側に押され、この押圧力の反力により側板部４３、４３の下端部がつば付き容器１側に押し付けられる。この作用により、容器ホルダー４０の側板部４３、４３側はつば付き容器１を確固に内側に押えることができる。
【００２９】
本発明のつば付き容器用ホルダーの第５の実施の形態を図６及び図７により説明する。図６に示すように、容器ホルダー５０はシート状台紙よりなり、天板部５１の両側に折り線５２、５２を介して側板部５３、５３が設けられている。つば付き容器１を保持する保持部には、相対向して中央部で天板部５１内につば部外周圧接用切込み５４、５４が形成されている。このつば部外周圧接用切込み５４、５４の両側より側板部５３、５３に伸びて弾性用切込み５５、５５が形成されている。
【００３０】
弾性用切込み５５、５５より折り線５２、５２側に直線状に伸びて爪部用切込み５６、５６が形成され、爪部用切込み５６、５６は切込み５７，５７で折り線５２、５２に連設されている。ここで、折り線５２、５２の間隔Ｗ１は、つば付き容器１のつば部２の真下の外周側径Ｄ１より若干小さい間隔からつば部２の外径Ｄ２より小さい間隔の範囲に形成され、つば部外周圧接用切込み５４、５４の間隔Ｗ３は、折り線５２、５２の間隔Ｗ１より小さく形成されている。爪部用切込み５６、５６の間隔Ｗ２は、間隔Ｗ１より小さく間隔Ｗ３より大きく形成されている。即ち、爪部用切込み５６、５６は折り線５２、５２とつば部外周圧接用切込み５４、５４の中間幅に形成されている。
【００３１】
そこで、つば付き容器１を容器用ホルダー５０に保持させるには、つば付き容器１上に相対向するつば部外周圧接用切込み５４、５４間が位置するように容器ホルダー５０を載せ、側板部５３、５３を折り線５２、５２に沿って下方向に折り曲げる。これにより、図７に示すように、つば付き容器１のつば部２が対向する爪部用切込み５６、５６に挿入されると共に、つば部外周圧接用切込み５４、５４の内側面がつば付き容器１のつば部２の外周に圧接して外側に押され、つば付き容器１は容器ホルダー５０に保持される。この場合、爪部用切込み５６、５６は折り線５２、５２部分より若干内側に突出し、つば部外周圧接用切込み５４，５４より外側に形成されているので、爪部用切込み５６、５６がつば付き容器１のつば部２の下面に強く当接してつば付き容器１を保持する。
【００３２】
本実施の形態においては、爪部用切込み５６、５６より内側に突出して中央部につば部外周圧接用切込み５４、５４が形成されている。このため、折り線５２、５２を下方向に折り曲げると、つば部外周圧接用切込み５４、５４の内側面がつば付き容器１のつば部２の外周に圧接する。即ち、つば部外周圧接用切込み５４、５４部分が外側に押され、この押圧力は大きいので、その反力により側板部５３、５３の下端部がつば付き容器１側に押し付けられる。この作用により、容器ホルダー５０の側側板部５３、５３は従来のものより更につば付き容器１を確固に内側に押えることができる。即ち、本実施の形態においては、１個のつば付き容器１を保持する容器ホルダー５０であっても、十分につば付き容器１を保持することができる。
【００３３】
なお、上記第４及び第５のの実施の形態（図５及び図６、図７）においては、１個のつば付き容器１を保持する容器ホルダー４０、５０について説明したが、第４及び第５の実施の形態においても、前記第２の実施の形態（図３）と同様に、一体的に連設した構造とすることにより、複数個のつば付き容器１を保持させることができる。また第４及び第５の実施の形態においても、第３の実施の形態（図４）と同様に形成することにより、４個（２列×２）又は６個以上の偶数個 (２列×３以上）のつば付き容器１を保持させるることができる。
【００３４】
本発明のつば付き容器用ホルダーの第６の実施の形態を図８により説明する。前記各実施の形態は、円形状のつば付き容器１に適用した場合について説明した。本実施の形態は、楕円形状のつば付き容器３に適用した場合を示す。 楕円形状は、短径側が比較的長くなっている。 そこで、本実施の形態においては、つば部外周圧接用切込みと爪部用切込みとの組み合わせを複数組構成し、楕円形状のつば付き容器３をより確実に保持できるようになっている。
【００３５】
容器用ホルダー６０はシート状台紙よりなり、天板部６１の両側に折り線６２、６２を介して側板部６３、６３が設けられている。つば付き容器３を保持する保持部には、相対向して中央部に天板部６１内に突出して爪部となる爪部用切込み６４Ａ、６４Ａが形成され、この爪部用切込み６４Ａの両側に一定間隔離れて爪部用切込み６４Ｂ、６４Ｂが形成されている。爪部用切込み６４Ａ、６４Ｂ、６４Ｂは、つば付き容器３のつば部４の真下の外周側に沿ってその外周側と略同じか若干小さく形成されている。爪部用切込み６４Ａ、６４Ｂ、６４Ｂの両側より側板部６３に伸びて弾性用切込み６５，６５・・・が形成されている。爪部用切込み６４Ａと６４Ｂ、６４Ａと６４Ｂ間には、内側に台形形状して突出してつば部外周圧接用切込み６６Ａ、６６Ａが連設して形成されている。爪部用切込み６４Ｂ、６４Ｂの外側端部より山形に内側に突出してつば部外周圧接用切込み６６Ｂ、６６Ｂが形成され、このつば部外周圧接用切込み６６Ｂ、６６Ｂより更に折り線６２、６２に伸びて切込み６７、６７が形成されている。
【００３６】
そこで、つば付き容器３の短径側に容器用ホルダー６０の保持部がつば付き容器３上に位置するように載せ、側板部６３、６３を折り線６２、６２に沿って下方向に折り曲げる。これにより、つば付き容器３のつば部４が対向する爪部用切込み６４Ａ、６４Ａ，６４Ｂ、６４Ｂ，６４Ｂ、６４Ｂに挿入されると共に、つば部外周圧接用切込み６６Ａ、６６Ａの内側面がつば付き容器３のつば部４の外周に圧接し、つば付き容器３は容器用ホルダー６０に保持される。本実施の形態においては、爪部用切込み６４Ａ、６４Ｂ、６４Ｂはつば部４の真下の外周側に沿ってその外周側と略同じか若干内側に形成されているので、爪部用切込み６４Ａ、６４Ｂ、６４Ｂがつば部４の下面に強く当接する。また爪部用切込み６４Ａ、６４Ｂ、６４Ｂの両側よりそれぞれ内側に突出してつば部外周圧接用切込み６６Ａ、６６Ａ，６６Ｂ、６６Ｂが形成されているので、つば部外周圧接用切込み６６Ａ、６６Ａ，６６Ｂ、６６Ｂの内側面がつば部４の外周に圧接する。
【００３７】
このように、本実施の形態においては、複数の爪部用切込み６４Ａ、６４Ｂ、６４Ｂ・・・がつば部４の下面に当接し、また複数のつば部外周圧接用切込み６６Ａ、６６Ａ，６６Ｂ、６６Ｂ・・・がつば部４の外周に圧接する。即ち、つば部外周圧接用切込み６６Ａ、６６Ａ，６６Ｂ、６６Ｂ部分が外側に押され、この押圧力の反力により側板部６３、６３の下端部がつば付き容器３側に押し付けられる。このように、複数の爪部用切込み６４Ａ、６４Ｂ、６４Ｂでつば部４の下面に当接してつば付き容器３を保持すると共に、 複数のつば部外周圧接用切込み６６Ａ、６６Ａ，６６Ｂ、６６Ｂがつば部４の外周に圧接するので、楕円形状のつば付き容器３をより強固に保持することができる。
【００３８】
本発明のつば付き容器用ホルダーの第７の実施の形態を図９により説明する。本実施の形態は、 四隅のコーナーがＲ（円弧）の角形状のつば付き容器５に適用した場合を示す。容器用ホルダー７０はシート状台紙よりなり、天板部７１の両側に折り線７２、７２を介して側板部７３、７３が設けられている。つば付き容器５を保持する保持部には、相対向して中央部でつば付き容器５のつば部６の真下の外周側より内側に突出するようにつば部外周圧接用切込み７４Ａ、７４Ａが形成され、つば部外周圧接用切込み７４Ａの両側に一定間隔離れてつば部外周圧接用切込み７４Ｂ、７４Ｂが形成されている。つば部外周圧接用切込み７４Ａと７４Ｂ、７４Ａと７４Ｂ間は爪部用切込み７５、７５で連設されている。爪部用切込み７５、７５の両側より側板部７３、７３に伸びて弾性用切込み７６、７６・・・が形成されている。両側のつば部外周圧接用切込み７４Ｂ、７４Ｂより折り線７２、７２に伸びて切込み７７、７７が形成されている。
【００３９】
折り線７２、７２の間隔Ｗ１は、つば付き容器５のつば部６の真下の外周側径Ｄ１より若干小さい間隔からつば部６の外径Ｄ２より小さい間隔の範囲に形成形成され、つば部外周圧接用切込み７４Ａ、７４Ａ、７４Ｂ、７４Ｂの間隔Ｗ３は、折り線７２、７２の間隔Ｗ１より小さく形成されている。爪部用切込み７５、７５の間隔Ｗ２は、間隔Ｗ１より小さく間隔Ｗ３より大きく形成されている。即ち、爪部用切込み７５、７５は折り線７２、７２とつば部外周圧接用切込み７４Ａ、７４Ａ、７４Ｂ、７４Ｂの中間幅に形成されている。
【００４０】
そこで、つば付き容器５上につば部外周圧接用切込み７４Ａ、７４Ａ間が位置するように容器用ホルダー７０を載せ、側板部７３、７３を折り線７２、７２に沿って下方向に折り曲げる。これにより、つば付き容器５のつば部６が対向する爪部用切込み７５、７５に挿入されると共に、つば部外周圧接用切込み７４Ａ、７４Ｂ、７４Ｂの内側面が対向するつば付き容器５のつば部６の外周に圧接し、つば付き容器５は容器用ホルダー７０に保持される。本実施の形態においては、爪部用切込み７５、７５は折り線７２、７２部分より若干内側に突出し、 つば部外周圧接用切込み７４Ａ、７４Ａ、７４Ｂ、７４Ｂより外側に形成されているので、爪部用切込み７５、７５がつば付き容器５のつば部６の下面に強く当接してつば付き容器５を保持する。また爪部用切込み７５より内側に突出してつば部外周圧接用切込み７４Ａ、７４Ｂ、７４Ｂが形成されているので、つば部外周圧接用切込み７４Ａ、７４Ｂ、７４Ｂの内側面がつば部６の外周に圧接する。
【００４１】
このように、本実施の形態においては、複数の爪部用切込み７５、７５・・・がつば部６の下面に当接し、また複数のつば部外周圧接用切込み７４Ａ、７４Ａ、７４Ｂ、７４Ｂ・・・が容器用ホルダー６０の外周に圧接する。即ち、つば部外周圧接用切込み７４Ａ、７４Ａ、７４Ｂ、７４Ｂ部分が外側に押され、この押圧力の反力により側板部７３、７３の下端部がつば付き容器５側に押し付けられる。このように、複数の爪部用切込み７５、７５でつば部６の下面に当接してつば付き容器５を保持すると共に、複数のつば部外周圧接用切込み７４Ａ、７４Ａ、７４Ｂ、７４Ｂがつば部６の外周に圧接するので、角形状のつば付き容器５をより強固に保持することができる。
【００４２】
図８の第６の実施の形態は、図５の第４の実施の形態の構造を適用した場合について説明したが、図１の第１の実施の形態の構造又は図６の第５の実施の形態の構造を適用できることは言うまでもない。また図９の第７の実施の形態は、図６の第５の実施の形態の構造を適用した場合について説明したが、図１の第１の実施の形態の構造又は図５の第４の実施の形態の構造を適用できることは言うまでもない。
【００４３】
本発明のつば付き容器用ホルダーの第８の実施の形態を図１０及び図１１により説明する。図１０に示すように、容器ホルダー８０はシート状台紙よりなり、天板部８１の両側に折り線８２、８２を介して側板部８３、８３が設けられている。本実施の形態においては、折り線８２、８２は後記する爪部用切込み８４、８４より内側部で、かつつば部２の端部まで伸びて形成されている。勿論、折り線８２、８２は爪部用切込み８４、８４と同一線上に形成してもよい。つば付き容器１を保持する保持部には、相対向して中央部で天板部８１内でつば付き容器１のつば部２の真下と略等しいか若干内側に爪部用切込み８４、８４が形成されている。この爪部用切込み８４、８４の両側よりつば付き容器１内に外側に傾斜して切込み８５、８５が形成され、この切込み８５、８５より直線でつば部２の端部まで伸びて切込み８６、８６が形成されている。この切込み８６、８６の端部より側板部８３、８３に伸びて第１の弾性用切込み８７、８７が形成されている。
【００４４】
切込み８６、８６の端部及び第１の弾性用切込み８７、８７より天板部８１側に傾斜した傾斜切込み８８、８８が形成され、この傾斜切込み８８、８８より折り線８２、８２側に直線状に伸びてつば部圧接用切込み８９、８９が形成されている。ここで、折り線８２、８２の間隔Ｗ１及び爪部用切込み８４、８４の間隔Ｗ３は、つば付き容器１のつば部２の真下の外周側径Ｄ１と略等しいか若干小さく形成されている。またつば部圧接用切込み８９、８９の端部より側板部８３、８３に伸びて第２の弾性用切込み９０、９０が形成されている。
【００４５】
そこで、つば付き容器１を容器用ホルダー８０に保持させるには、つば付き容器１上に相対向する爪部用切込み８４、８４間が位置するように容器ホルダー８０を載せ、側板部８３、８３を折り線８２、８２に沿って下方向に折り曲げる。これにより、図１１に示すように、つば付き容器１のつば部２が対向する爪部用切込み８４、８４に挿入されると共に、つば部圧接用切込み８９、８９の内側面がつば付き容器１のつば部２の外周に圧接して外側に押され、つば付き容器１は容器ホルダー８０に保持される。この場合、爪部用切込み８４、８４は、つば付き容器１のつば部２の真下と略等しいか若干内側に形成されているので、爪部用切込み８４、８４がつば付き容器１のつば部２の下面に強く当接してつば付き容器１を保持する。
【００４６】
本実施の形態においては、つば部圧接用切込み８９、８９はつば部２内に形成され、またつば部圧接用切込み８９、８９の両側に第１及び第２の弾性用切込み８７、８７，９０、９０が形成されているので、前記したようにつば部圧接用切込み８９、８９の内側面がつば付き容器１のつば部２の外周に圧接して外側に押される。この押圧力は大きいので、その反力により側板部８３、８３の下端部がつば付き容器１側に押し付けられる。この作用により、容器ホルダー８０の側側板部８３、８３は従来のものより更につば付き容器１を確固に内側に押えることができる。即ち、本実施の形態においては、１個のつば付き容器１を保持する容器ホルダー８０であっても、十分につば付き容器１を保持することができる。
【００４７】
本発明のつば付き容器用ホルダーの第９の実施の形態を図１２により説明する。前記第８の実施の形態は、１個のつば付き容器１を保持する容器用ホルダー８０について説明した。本実施の形態は３個のつば付き容器１を保持する容器用ホルダー９５を示す。図１２より明らかなように、図１０に示す容器用ホルダー８０を一体的に３個連設した構造となっている。従って、前記実施の形態と同様の効果が得られることは言うまでもない。 なお、図示しないが図１０に示す容器用ホルダー８０を１列に一体的に２個又は４個以上連設した構造とすることにより、１列に２個以上のつば付き容器１を保持させることができる。
【図面の簡単な説明】
【００４８】
【図１】本発明のつば付き容器用ホルダーの第１の実施の形態を示す平面図である。
【図２】図１のつば付き容器用ホルダーでつば付き容器を保持した状態を示し、( a  )は平面図、( b ) は右側面図、( ｃ）は正面図である。
【図３】本発明のつば付き容器用ホルダーの第２の実施の形態を示す平面図である。
【図４】本発明のつば付き容器用ホルダーの第３の実施の形態を示す平面図である。
【図５】本発明のつば付き容器用ホルダーの第４の実施の形態を示す平面図である。
【図６】本発明のつば付き容器用ホルダーの第５の実施の形態を示す平面図である。
【図７】図６のつば付き容器用ホルダーでつば付き容器を保持した状態を示し、( a  )は平面図、( b ) は右側面図、( ｃ）は縦断面図である。
【図８】本発明のつば付き容器用ホルダーの第６の実施の形態を示す平面図である。
【図９】本発明のつば付き容器用ホルダーの第７の実施の形態を示す平面図である。
【図１０】本発明のつば付き容器用ホルダーの第８の実施の形態を示す平面図である。
【図１１】図１０のつば付き容器用ホルダーでつば付き容器を保持した状態を示し、( a  )は平面図、( b ) は右側面図、( ｃ）は正面図である。
【図１２】本発明のつば付き容器用ホルダーの第９の実施の形態を示す平面図である。
【図１３】従来のつば付き容器用ホルダーを示し、( a  )は平面図、( b ) はつば付き容器を保持した状態の正面図である。
【符号の説明】
【００４９】
１、３、５    つば付き容器
２、４，６    つば部
１０    容器用ホルダー
１１    天板部
１２    折り線
１３    側板部
１４    爪部用切込み
１５    弾性用切込み
１６    つば部外周用圧接用切込み
１７    切込み
２０、３０    容器用ホルダー
３１    差込み用切込み
３２    円弧状切込み
３３    直線状切込み
４０    容器ホルダー
４１    天板部
４２    折り線
４３    側板部
４４    爪部用切込み
４５    弾性用切込み
４６    つば部圧接用切込み
４７、４８    切込み
５０    容器ホルダー
５１    天板部
５２    折り線
５３    側板部
５４    つば部外周圧接用切込み
５５    弾性用切込み
５６    爪部用切込み
５７    切込み
６０    容器用ホルダー
６１    天板部
６２    折り線
６３    側板部
６４Ａ、６４Ｂ    爪部用切込み
６５    弾性用切込み
６６Ａ、６６Ｂ    つば部外周圧接用切込み
７０    容器用ホルダー
７１    天板部
７２    折り線
７３    側板部
７４Ａ、７４Ｂ    つば部外周圧接用切込み
７５    爪部用切込み
７６    弾性用切込み
８０    容器ホルダー
８１    天板部
８２    折り線
８３    側板部
８４    爪部用切込み
８５、８６    切込み
８７    第１の弾性用切込み
８８    傾斜切込み
８９    つば部外周圧接用切込み
９０    第２の弾性用切込み
９５    容器用ホルダー
【図１】
2011235960.tif 000003
【図２】
2011235960.tif 000004
【図３】
2011235960.tif 000005
【図４】
2011235960.tif 000006
【図５】
2011235960.tif 000007
【図６】
2011235960.tif 000008
【図７】
2011235960.tif 000009
【図８】
2011235960.tif 000010
【図９】
2011235960.tif 000011
【図１０】
2011235960.tif 000012
【図１１】
2011235960.tif 000013
【図１２】
2011235960.tif 000014
【図１３】
2011235960.tif 000015